(57)【要約】      （修正有）【課題】本発明は単純な構造から成る鍋検出装置及びこれを含むガスレンジを提供し、高温の炎周辺でも耐久性を維持できる鍋検出装置及びこれを含むガスレンジを提供する。【解決手段】鍋検出装置１００は垂直に配置されて、固定的な位置に設けられる固定パイプ１１０と、固定パイプの上端に接続されて、外力により固定パイプに対して下方に相対的な移動をすることのできる移動パイプ１２０と、移動パイプに接続されて一緒に移動し、移動パイプに外力が加わらないときには固定パイプに接触され、移動パイプに外力が加わるときには固定パイプから離隔される端子及び端子が固定パイプに接触されると鍋がないものと判断し、固定パイプの下端から離隔されると鍋があるものと判断するマイコンと、を含む。【選択図】図２
2018185128.tif 000002
【特許請求の範囲】
【請求項１】
垂直に配置されて固定的な位置に設けられる固定パイプと、
前記固定パイプの上端に接続されて、外力により前記固定パイプに対して下方に相対的な移動をすることのできる移動パイプと、
前記移動パイプに接続されて一緒に移動し、前記移動パイプに外力が加わらないときには前記固定パイプに接触され、前記移動パイプに外力が加わるときには前記固定パイプから離隔される端子と、及び
前記端子が前記固定パイプに接触されると鍋がないものと判断し、前記端子が前記固定パイプの下端から離隔されると鍋があるものと判断するマイコンを含む鍋検出装置。
【請求項２】
前記固定パイプは電気伝導性材料で構成されて接地され、前記端子は電気伝導性材料で構成されて前記マイコンに接続されて、前記固定パイプ、前記端子、前記マイコンにより電気回路が構成され、
前記マイコンは前記固定パイプと前記端子との間が短絡されると鍋がないものと判断し、開放されると鍋があるものと判断する請求項１に記載の鍋検出装置。
【請求項３】
前記移動パイプに接続されて一緒に移動するワイヤを含み、
前記端子は前記ワイヤに接続されることによって前記移動パイプに接続されて一緒に移動する請求項１に記載の鍋検出装置。
【請求項４】
前記ワイヤは前記固定パイプの内部に沿って延びる請求項３に記載の鍋検出装置。
【請求項５】
前記固定パイプはその上端と下端との間で折り曲げられる請求項３に記載の鍋検出装置。
【請求項６】
前記移動パイプに接続されて温度を測定できるセンサを含み、
前記ワイヤは前記センサと外部電源とを電気的に接続する役割をする請求項３に記載の鍋検出装置。
【請求項７】
前記端子の外径は前記固定パイプの下端の内径よりも大きく形成されて、前記移動パイプに外力が加わらないとき、前記固定パイプの外部からその下端に接触される請求項３に記載の鍋検出装置。
【請求項８】
前記移動パイプに上方に力を加える弾性部材を含み、
前記端子は弾性材料または弾性構造から成る請求項７に記載の鍋検出装置。
【請求項９】
前記固定パイプの下端にはその先端に行くほど内径が大きくなる拡径部が形成される請求項７に記載の鍋検出装置。
【請求項１０】
前記拡径部の内面は前記端子の外面に対応する形状に形成される請求項９に記載の鍋検出装置。
【請求項１１】
前記端子は球状に形成される請求項９に記載の鍋検出装置。
【請求項１２】
前記端子は円錐形または円錐台形に形成される請求項９に記載の鍋検出装置。
【請求項１３】
天板と、
炎を生成するための火口と、
前記火口に供給されるガスの量を調節するためのノブと、
前記天板から前記火口に隣接して設けられて、鍋を支持するための金輪と、
前記天板に対して垂直に配置されて前記火口に固定され、前記金輪よりも低く設けられる固定パイプと、
前記固定パイプの上端に接続されて、前記金輪よりも高く突出され、外力により前記固定パイプに対して下方に相対的な移動をすることのできる移動パイプと、
前記移動パイプに接続されて一緒に移動し、前記移動パイプに外力が加わらないときには前記固定パイプに接触され、前記移動パイプに外力が加わるときには前記固定パイプから離隔される端子と、及び
前記端子が前記固定パイプに接触されると前記金輪に鍋がないものと判断し、前記固定パイプの下端から離隔されると前記金輪に鍋があるものと判断する検出部と、を含むガスレンジ。
【請求項１４】
前記固定パイプは電気伝導性材料で構成されて接地され、前記端子は電気伝導性材料で構成されて前記マイコンに接続されて、前記固定パイプ、前記端子、前記マイコンによって電気回路が構成され、
前記マイコンは前記固定パイプと前記端子との間が短絡されると鍋がないものと判断し、開放されると鍋があるものと判断する請求項１３に記載のガスレンジ。
【請求項１５】
前記検出部が前記金輪に鍋がないものと判断すると、前記火口に供給されるガスを遮断するバルブを含む請求項１３に記載のガスレンジ。
【請求項１６】
前記ノブに隣接して配置され、前記検出部が前記金輪に鍋があるものと判断すると発光する光源を含む請求項１３に記載のガスレンジ。
【発明の詳細な説明】
【技術分野】
【０００１】
本発明は鍋検出装置に関し、より詳細には金輪に鍋があるかどうかを検出できる鍋検出装置及びこれを含むガスレンジに関する。
【背景技術】
【０００２】
ガスレンジにおいては、全ての火口に過熱を防止するためのセンサを取り付けるように義務付けされているため、ガスレンジ用過熱防止装置に関する研究開発が増大している。これと共に、過熱防止装置を利用して鍋があるかどうかも併せて検出できる装置が提案されている。
【０００３】
このような装置は、例えば鍋を載せておくと、鍋の重量によって下方に移動できる磁石及び固定的な位置に設けられたリードスイッチで構成され、リードスイッチが磁石の接近を検出すると、鍋があると判断するように構成される。
【０００４】
しかし、そのための構造は非常に複雑になるだけでなく、各構成要素の単価が高くなるので、過熱防止装置の全体的な価格も高くなるという欠点がある。さらにこれによると、高温の炎によって磁石が磁性を失ったり弱化されて正確度が落ちるという問題がある。
【発明の概要】
【発明が解決しようとする課題】
【０００５】
上記の問題点を解決するために、本発明は単純な構造から成る鍋検出装置及びこれを含むガスレンジを提供することを目的とする。
【０００６】
本発明の他の目的は、高温の炎周辺でも耐久性を維持できる鍋検出装置及びこれを含むガスレンジを提供する。
【課題を解決するための手段】
【０００７】
本発明に係る鍋検出装置は、垂直に配置されて固定的な位置に設けられる固定パイプと、前記固定パイプの上端に接続されて、外力により前記固定パイプに対して下方に相対的な移動をすることのできる移動パイプと、前記移動パイプに接続されて一緒に移動し、前記移動パイプに外力が加わらないときには前記固定パイプに接触され、前記移動パイプに外力が加わるときには前記固定パイプから離隔される端子及び前記端子が前記固定パイプに接触されると鍋が無いものと判断し、前記固定パイプの下端から離隔されると鍋があるものと判断するマイコンを含むことができる。
【０００８】
また、前記固定パイプは電気伝導性材料で構成されて接地され、前記端子は電気伝導性材料で構成されて前記マイコンに接続されて、前記固定パイプ、前記端子、前記マイコンによって電気回路が構成され、前記マイコンは前記固定パイプと前記端子との間が短絡されると鍋が無いものと判断し、開放されると鍋があるものと判断することができる。
【０００９】
また、前記固定パイプは前記移動パイプに接続されて一緒に移動するワイヤを含み、前記端子は前記ワイヤに接続されることによって前記移動パイプに接続されて一緒に移動されることができる。
【００１０】
また、前記ワイヤは、前記固定パイプの内部に沿って延びることができる。
【００１１】
また、前記固定パイプはその上端と下端との間で折り曲げられることができる。
【００１２】
また、前記固定パイプは前記移動パイプに接続されて温度を測定できるセンサを含み、前記ワイヤは前記センサと外部電源とを電気的に接続する役割をすることができる。
【００１３】
また、前記端子の外径は前記固定パイプの下端の内径よりも大きく形成されて、前記移動パイプに外力が加わらないとき、前記固定パイプの外部からその下端に接触されることができる。
【００１４】
また、前記移動パイプに上方に力を加える弾性部材を含み、前記端子は弾性材料または弾性構造から成ることができる。
【００１５】
また、前記固定パイプの下端にはその先端に行くほど内径が大きくなる拡径部が形成されることができる。
【００１６】
また、前記拡径部の内面は前記端子の外面に対応する形状に形成されることができる。
【００１７】
また、前記端子は球形に形成されることができる。
【００１８】
また、前記端子は円錐形または円錐台形に形成することができる。
【００１９】
一方、本発明に係るガスレンジは天板、炎を生成するための火口と、前記火口に供給されるガスの量を調節するためのノブと、前記天板から前記火口に隣接して設けられて鍋を支持するための金輪と、前記天板に対して垂直に配置されて前記火口に固定され、前記金輪よりも低く設けられる固定パイプと、前記固定パイプの上端に接続されて、前記金輪よりも高く突出され、外力により前記固定パイプに対して下方に相対的な移動をすることのできる移動パイプと、前記移動パイプに接続されて一緒に移動し、前記移動パイプに外力が加わらないときには前記固定パイプに接触され、前記移動パイプに外力が加わるときには前記固定パイプから離隔される端子及び前記端子が前記固定パイプに接触されると前記金輪に鍋がないものと判断し、前記固定パイプの下端から離隔されると前記金輪に鍋があるものと判断する検出部と、を含むことができる。
【００２０】
また、前記固定パイプは電気伝導性材料で構成されて接地され、前記端子は電気伝導性材料で構成されて前記マイコンに接続されて、前記固定パイプ、前記端子、前記マイコンによって電気回路が構成され、前記マイコンは前記固定パイプと前記端子との間が短絡されると鍋がないものと検出し、開放されると鍋があるものと検出することができる。
【００２１】
また、前記検出部が前記金輪に鍋がないものと判断すると、前記火口に供給されるガスを遮断するバルブを含むことができる。
【００２２】
また、前記ノブに隣接して配置され、前記検出部が前記金輪に鍋があるものと検出すると、発光する光源を含むことができる。
【発明の効果】
【００２３】
本発明に係る鍋検出装置及びこれを含むガスレンジは、固定パイプと端子との間が電気的に短絡されているかどうか、または電気的に開放されているかどうかによって、現在、鍋があるかどうかを検出する。従って、鍋検出装置が全体的に単純な構造から成ることができる。
【００２４】
また、磁石やリードスイッチを使用しないので全体的な価格を相対的に低くすることができる。また、高温の炎によって磁石が磁性を失ったり弱化されることによる問題点を解決することができる。すなわち、高温の炎周辺でも耐久性を適切に維持することができる。
【００２５】
また、これにより既存の（鍋検出機能のない）過熱防止装置に簡単な改造をするのみで過熱検出装置に鍋検出機能を付与することができるという利点がある。
【図面の簡単な説明】
【００２６】
【図１】本発明の実施形態に係る鍋検出装置を含むガスレンジの概要図である。
【図２】本発明の実施形態に係る鍋検出装置の組立図である。
【図３】本発明の実施形態に係る鍋検出装置において移動パイプに外力が加わらないときの側面図である。
【図４】本発明の実施形態に係る鍋検出装置において移動パイプに外力が加わるときの側面図である。
【図５】本発明の実施形態に係る鍋検出装置の端子が変形された例を示したもので、図３の状態に対応する側面図である。
【図６】本発明の実施形態に係る鍋検出装置の端子が変形された例を示したもので、図４の状態に対応する側面図である。
【発明を実施するための形態】
【００２７】
以下、本発明の実施形態に係る鍋検出装置及びこれを含むガスレンジについて図面を参照して詳細に説明する。
【００２８】
まず、ガスレンジについて概略的に説明する。
【００２９】
図１は本発明の実施形態に係る鍋検出装置１００を含むガスレンジＧの概要図である。
【００３０】
図１を参照すると、ガスレンジＧは、天板Ｕ、火口Ｆ、ノブＫ、流路Ｐ、金輪Ｔ、鍋検出装置１００、バルブＶ及び光源Ｌを含む。
【００３１】
天板ＵはガスレンジＧの全体的な上面を成す。また、火口Ｆは炎を生成するためのもので、天板Ｕから外部に露出される。このとき、炎の大きさはノブＫを利用して、流路Ｐを介して火口Ｆに供給されるガスの量を調節することによって制御することができる。金輪Ｔは天板Ｕ上で火口Ｆに隣接して設けられる。これにより、金輪Ｔに鍋（図示せず）を載せておいて火口Ｆに炎を生成して調理をすることができる。
【００３２】
鍋検出装置１００は金輪Ｔに鍋があるかどうかを検出する役割をする。また、バルブＶは鍋検出装置１００が金輪Ｔに鍋がないものと判断すると火口Ｆに供給されるガスを遮断してもよい。これによれば、不要なガス漏れとそれによる火災の危険を防止することができる。また、光源ＬはノブＫに隣接して配置され、鍋検出装置１００が金輪Ｔに鍋があるものと判断すると発光するようにしてもよい。図１では火口ＦとノブＫが一つずつのみ設けられているが、火口Ｆが複数設けられノブＫも各火口Ｆに対応するように複数に設けられれば、ガスレンジＧに慣れていない使用者は、特定の火口Ｆの炎の大きさを調節するために複数のノブＫのうちどれを操作すればよいかが分からなくなることがあり得る。しかし、鍋が位置した火口Ｆに該当する光源Ｌが発光すると、単にその光源Ｌに隣接したノブＫを操作すればよいので、どのノブＫを操作すればよいかを容易に識別することができ、誤操作の可能性を減らすことができる。
【００３３】
以下、鍋検出装置１００について詳細に説明する。
【００３４】
図２は本発明の実施形態に係る鍋検出装置１００の組立図である。また、図３と図４は本発明の実施形態に係る鍋検出装置１００の側面図であって、図３は移動パイプ１２０に外力が加わらないとき、つまり金輪Ｔに鍋がない場合を示したものであり、図４は移動パイプ１２０に外力が加わったとき、つまり金輪Ｔに鍋がある場合を示したものである。
【００３５】
図１ないし４を参照すると、鍋検出装置１００は固定パイプ１１０、移動パイプ１２０、センサ１３０、ワイヤ１４０及び端子１５０を含む。
【００３６】
固定パイプ１１０は天板Ｕに実質的に垂直に配置されて火口Ｆに固定される。このため、固定パイプ１１０の周りにはフランジ１１１が形成され、そのフランジ１１１がボルトやその他の適切な手段によって火口Ｆに結合されることができる。
【００３７】
また、固定パイプ１１０は上端の高さが金輪Ｔと同じか、それよりも若干低く位置するように形成される。上端の高さが金輪Ｔよりも高く位置するように突出すると、金輪Ｔに鍋を安定的に載せておき難いからである。
【００３８】
一方、固定パイプ１１０は上端から下端１１０ａに、天板Ｕに実質的に垂直な方向に直線的に延長されることができる。または上端から天板Ｕに垂直な方向に一部延長されたところで折り曲げられて、天板Ｕに実質的に水平な方向にさらに延長されることもできる。図面では後者の場合が例示されている。これによると、鍋検出装置１００の全体的な高さが減って、例えばクックトップのように相対的に薄い製品にも本鍋検出装置１００を容易に適用することができる。
【００３９】
また、図面では垂直な方向に延びた部分１１０−１と水平な方向に延びた部分１１０−２とが別個の構成要素としてそれぞれ作製されて互いに接続されるものと示されているが、必要に応じてこれらは一つの構成要素として一体に形成されることもできる。
【００４０】
移動パイプ１２０は固定パイプ１１０の上端に接続されるが、固定パイプ１１０に対して上／下方に相対的な移動をすることができるように設けられる。このため、移動パイプ１２０は、固定パイプ１１０の内部に挿入されてスライド可能なように固定パイプ１１０に接続されることができる。または固定パイプ１１０が移動パイプ１２０の内部に挿入されてスライド可能なように移動パイプ１２０に接続することもできる。図面では後者の場合が例示されている。これによると、固定パイプ１１０と移動パイプ１２０との間の隙間が下方に開口されるので、その間の隙間を介して固定パイプ１１０の内部に食べ物やその他の異物が流れ込むことをさらに防止することができる。
【００４１】
移動パイプ１２０は上端１２０ａが閉塞される。これにより、その上端１２０ａを介して移動パイプ１２０の内部に食べ物やその他の異物が流れ込むことを遮断することができる。また、移動パイプ１２０が下方に移動できる範囲を制限することもできる。すなわち、移動パイプ１２０は固定パイプ１１０の上端と移動パイプ１２０の上端１２０ａとが互いに接するところまでのみ下方に移動することができる。
【００４２】
また、固定パイプ１１０の上端には外側に突出された爪（図示せず）が形成され、移動パイプ１２０の下端１２０ｂには内側に突出された爪（図示せず）が形成されてもよい。これにより、移動パイプ１２０が上方に移動できる範囲を制限することができる。すなわち、移動パイプ１２０は固定パイプ１１０の爪と移動パイプ１２０の爪とが互いに係止するところまでのみ上方に移動することができる。従って、移動パイプ１２０が上方に過度に移動して固定パイプ１１０から離脱することを防止することができる。
【００４３】
一方、図面では固定パイプ１１０と移動パイプ１２０が円形に形成されるものと示されているが、必要に応じては角形やその他完全な円以外の他の形状に形成されてもよい。この場合、移動パイプ１２０は、固定パイプ１１０に対して相対的な回転をすることができなくなるので、後述するワイヤ１４０が捩れたり拗けたりすることを防止することができる。
【００４４】
また、移動パイプ１２０は上方に最大限に移動した状態では、上端１２０ａが金輪Ｔよりも高く位置するように突出され、下方に最大限に移動した状態では上端１２０ａが金輪Ｔと同じか、またはそれよりも若干低く位置するように形成される。
【００４５】
弾性部材（図示せず）は、固定パイプ１１０と移動パイプ１２０との間に配置されて、移動パイプ１２０に上方に力を加える役割をする。
【００４６】
これにより、金輪Ｔに鍋を載せて置くと、上端１２０ａが金輪Ｔよりも高く位置するように突出されていた移動パイプ１２０が鍋の重量によって下方に移動する。このとき、移動パイプ１２０は弾性部材によって上方に圧迫されて鍋の底面に持続的に接触されることができる。
【００４７】
以降、金輪Ｔから鍋を退けると、弾性部材によって移動パイプ１２０が上方に移動して元の位置に復帰する。以下では、便宜上、このような移動パイプ１２０の位置を「第１の位置」と称し、移動パイプ１２０が鍋の重量によって下方に移動した位置を「第２の位置」と称する。
【００４８】
センサ１３０は移動パイプ１２０の内部に配置されて、移動パイプ１２０の温度を測定することにより鍋の温度を検出する役割をする。従って、センサ１３０は鍋の温度をより正確に検出するために移動パイプ１２０の上端１２０ａに接触させて固定するとよい。
【００４９】
センサ１３０そのものの具体的な構成は公知された通りであるので、これに対する詳細な説明は省略する。
【００５０】
ワイヤ１４０はセンサ１３０に電気的に接続されてセンサ１３０に電源を印加する一方、センサ１３０によって測定された温度をマイコン（図示せず）に転送する役割をする。ここで、マイコンはセンサ１３０によって測定された温度が予め設定された値よりも高い場合は鍋が過熱されたものと判断して、火口Ｆに供給されるガスを遮断したり、使用者にアラームを提供するように作動することができる。このとき、ワイヤ１４０は外部の損傷から保護するために固定パイプ１１０の内部に沿って延長させてもよい。
【００５１】
一方、ワイヤ１４０はセンサ１３０を介して移動パイプ１２０に接続されており、移動パイプ１２０と一緒に移動する。従って、ワイヤ１４０は移動パイプ１２０の移動による力に耐えられるよう、つまり移動パイプ１２０が下方に移動するとワイヤ１４０も、その長手方向に沿って全体的に移動するために適切な強度（ｓｔｉｆｆｎｅｓｓ）を持ちながら、固定パイプ１１０の上端１２０ａと下端１１０ａとの間で折り曲げられた部分１１０ｂを通るために適切な柔軟性ないしは弾性を持つ材料で構成される。
【００５２】
端子１５０はワイヤ１４０に接続される。従って、移動パイプ１２０が移動するとワイヤ１４０と一緒に移動するようになる。特に、端子１５０は移動パイプ１２０が第１の位置に在るときには固定パイプ１１０の下端１１０ａに接触され、移動パイプ１２０が第２の位置に在るときには固定パイプ１１０の下端１１０ａから離隔されるように設けられる。つまり端子１５０は金輪Ｔに鍋がないときには固定パイプ１１０の下端１１０ａに接触され、金輪Ｔに鍋があるときには固定パイプ１１０の下端１１０ａから離隔される。
【００５３】
端子１５０の外径は、固定パイプ１１０の下端１１０ａの内径よりも大きく形成されることができる。この場合、端子１５０は移動パイプ１２０が第１の位置に在るとき、固定パイプ１１０の外部からその下端１１０ａに接触される。
【００５４】
さらに端子１５０が固定パイプ１１０の下端１１０ａに接触されているとき、弾性部材は予圧された状態、すなわち移動パイプ１２０に上方に持続的に力を加えている状態であってもよい。そのように構成すると、移動パイプ１２０が第１の位置に在るときに弾性部材によって上方に持続的に圧迫される。これにより、端子１５０も固定パイプ１１０の下端１１０ａに接触される方向に持続的に圧迫されるので、金輪Ｔに鍋がないときに端子１５０が固定パイプ１１０の下端１１０ａに確実に接触されることを保障することができる。
【００５５】
このとき、端子１５０は特に弾性を持つ材料や構造、すなわち外力により圧縮された後に復元できる材料や構造から成ることができる。これによると、端子１５０を固定パイプ１１０の下端１１０ａにさらに緊密に接触させることができる。
【００５６】
さらには固定パイプ１１０の下端１１０ａには、より大きい内径を持つ拡径部１１２が備えられている。特に、拡径部１１２はその先端に行くほど内径が段々大きくなるように形成されてもよい。ほぼ漏斗形状の拡径部１１２が別途作製されて固定パイプ１１０に接合されてもよい。または固定パイプ１１０の下端１１０ａが一部変形されることにより拡径部１１２が形成されてもよい。例えば、固定パイプ１１０の下端１１０ａがその周方向に沿って特定の間隔に分割され、その分割された部分が外側に所定の角度にそれぞれ折り曲げられる方法で構成されてもよい。これにより、移動パイプ１２０が第２の位置から第１の位置に復帰するとき、初期に端子１５０を収容するための面積が広くなるので、端子１５０が固定パイプ１１０の下端１１０ａに確実に接触されるように誘導することができる。
【００５７】
特に、拡径部１１２の内面は端子１５０の外面に対応する形状に形成されてもよい。例えば、端子１５０が図２ないし４に示すように球形に形成されるのであれば、拡径部１１２はそれに対応する半球形に形成されてもよい。または端子１５０’が図５と図６に示すように円錐形や円錐台形に形成されるのであれば、拡径部１１２’はそれに対応する円錐台形に形成されてもよい。これにより、端子１５０が面接触されて、後述するようにマイコンが固定パイプ１１０の下端１１０ａと端子１５０とが互いに接触されているかどうかを検出するとき、その正確度をさらに高めることができる。
【００５８】
マイコンは、前述したようにセンサ１３０によって測定された温度に基づいて火口Ｆに供給されるガスを遮断したり、使用者にアラームを提供するように作動することができる。
【００５９】
さらに、マイコンは固定パイプ１１０の下端１１０ａと端子１５０とが互いに接触されているかどうか、または互いに離隔されているかどうかを検出する。
【００６０】
このため、固定パイプ１１０と端子１５０とが導電性材料で構成されて、固定パイプ１１０は接地され端子１５０はマイコンに電気的に接続されることにより、固定パイプ１１０、端子１５０、マイコン及びマイコンに接続された外部電源により一つの電気回路が構成される。マイコンは、固定パイプ１１０の下端１１０ａと端子１５０とが互いに接触されているときは、それらの間が短絡されているものと検出し、互いに離隔されているときは、それらの間が開放されているものと検出する。
【００６１】
これにより、マイコンは、前述したように固定パイプ１１０の下端１１０ａと端子１５０との間が電気的に短絡されていることを検出すれば、現在、金輪Ｔに鍋がないものと最終的に判断し、固定パイプ１１０の下端１１０ａと端子１５０との間が電気的に開放されていることを検出すれば、現在、金輪Ｔに鍋があるものと最終的に判断する。
【００６２】
もちろん、固定パイプ１１０の下端１１０ａと端子１５０とが互いに接触されているかどうかを検出さえできれば、その他の方法が採用されることもできる。
【００６３】
前述した鍋検出装置１００の構成に基づいて、以下、鍋検出装置１００及びこれを含むガスレンジＧの作動方法について説明する。
【００６４】
まず、金輪Ｔに鍋がないときには図３に示すように移動パイプ１２０が第１の位置に在り、端子１５０は固定パイプ１１０の下端１１０ａに接触されている。これにより、マイコンは固定パイプ１１０の下端１１０ａと端子１５０との間が電気的に短絡されていることを検出して、現在、金輪Ｔに鍋がないものと判断する。従って、マイコンはバルブＶにより火口Ｆに供給されるガスを遮断したり、使用者にアラームを提供するように作動させることができる。
【００６５】
次に、金輪Ｔに鍋を載せて置くと、図４に示すように移動パイプ１２０が鍋の重量により第１の位置から第２の位置に移動する。すると、ワイヤ１４０と端子１５０も移動パイプ１２０と一緒に移動して端子１５０が固定パイプ１１０の下端１１０ａから離隔される。これにより、マイコンは固定パイプ１１０の下端１１０ａと端子１５０との間が電気的に開放されていることを検出して、現在、金輪Ｔに鍋があるものと判断する。従って、マイコンは、バルブＶによりガスの供給を許可するように作動させる一方、光源Ｌが発光するように作動させることができる。
【００６６】
以降、金輪Ｔから鍋を退けると、さらに図３に示すように移動パイプ１２０が弾性部材によって第２の位置から第１の位置に移動し、端子１５０は固定パイプ１１０の下端１１０ａに接触される。これにより、マイコンが固定パイプ１１０と端子１５０との間が電気的に短絡されていることを検出して、現在、金輪Ｔに鍋がないものと判断する。
【００６７】
図面を参照して説明した本発明の実施形態は、本発明の技術的思想を限定しない。本発明の保護範囲は特許請求の範囲に記載された事項により定められる。一方、通常の技術者であれば本発明の技術的思想を様々に改良したり或いは変更することができるであろう。このような改良や変更は、通常の技術者に自明なものである限り本発明の保護範囲に属するものとする。
【符号の説明】
【００６８】
１００：鍋検出装置
１１０：固定パイプ
１１１：フランジ
１１２：拡径部
１２０：移動パイプ
１３０：センサ
１４０：ワイヤ
１５０：端子
【図１】
2018185128.tif 000003
【図２】
2018185128.tif 000004
【図３】
2018185128.tif 000005
【図４】
2018185128.tif 000006
【図５】
2018185128.tif 000007
【図６】
2018185128.tif 000008